(57)【要約】【課題】乳房を均一にバストアップすることができ、乳房の曲線を綺麗にすることができるバストアップ構造付きブラジャーを提供する。【解決手段】人体の乳房を覆い、人体の乳房に対向する内面を有し、その一側が互いに連接し、その連接する側の反対側が脇辺であり、底縁を有する二つのカップと、前記各カップの前記内面の前記底縁にそれぞれ設けられ、その一側が前記二つのカップの連接箇所と連接し、その他側が前記脇辺と連接する二つのバストアップ構造と、両端が前記二つのカップの連接する側の反対側とそれぞれ連接するベルトと、を含む。【選択図】図２
0003168252.tif 000002
【実用新案登録請求の範囲】
【請求項１】
人体の乳房を覆い、人体の乳房に対向する内面を有し、その一側が互いに連接し、その連接する側の反対側が脇辺であり、底縁を有する二つのカップと、
前記各カップの前記内面の前記底縁にそれぞれ設けられ、その一側が前記二つのカップの連接箇所と連接し、その他側が前記脇辺と連接する二つのバストアップ構造と、
両端が前記二つのカップの連接する側の反対側とそれぞれ連接するベルトと、
を含むことを特徴とするバストアップ構造付きブラジャー。
【請求項２】
更に、二つのストラップを含み、前記ストラップは、一端が前記二つのカップの前記脇辺と連接し、他端が前記ベルトと連接することを特徴とする、請求項１に記載のバストアップ構造付きブラジャー。
【請求項３】
前記二つのカップの一側は中心とそれぞれ連接することを特徴とする、請求項１に記載のバストアップ構造付きブラジャー。
【請求項４】
前記各カップの前記底縁にスチールリングがそれぞれ設けられ、前記各スチールリングは、一端が前記二つのカップの連接箇所での前記中心と連接し、他端が前記脇辺と連接することを特徴とする、請求項３に記載のバストアップ構造付きブラジャー。
【請求項５】
前記各脇辺は、前記スチールリングから前記カップの外部に延びることを特徴とする、請求項１に記載のバストアップ構造付きブラジャー。
【請求項６】
前記バストアップ構造は、一側が第１側辺とされ、他側が第２側辺とされ、前記第１側辺と前記第２側辺の間には、底辺と天辺とが設けられ、前記底辺は、前記各カップの前記底縁に応じて成形され、前記各カップの前記底縁と連接し、前記スチールリングに隣接し、前記第１側辺が前記中心と連接し、前記第２側辺が前記脇辺と連接することを特徴とする、請求項４に記載のバストアップ構造付きブラジャー。
【請求項７】
前記バストアップ構造は木綿で作製されたものであることを特徴とする、請求項１に記載のバストアップ構造付きブラジャー。
【請求項８】
前記バストアップ構造の内部にシリコーン体が収容されていることを特徴とする、請求項１に記載のバストアップ構造付きブラジャー。
【請求項９】
前記バストアップ構造は弾性体で作製されたものであることを特徴とする、請求項１に記載のバストアップ構造付きブラジャー。
【考案の詳細な説明】
【技術分野】
【０００１】
本考案は、婦人用のブラジャーに関し、特に、バストアップ構造付きブラジャーに関するものである。
【背景技術】
【０００２】
女性は、自分の外見をどんどん重要視することが一般になり、例えば素肌の保養、服装及び下着が自己価値を向上する手段となる。
【０００３】
例えばブラジャーを正確に着用することにより、魅力を増加することができる。市販している従来のブラジャー１０は、図１に示すように、カップの内側には、ブラジャー１０の外縁に近接する第１下敷き１１１と、中心１２に近接する第２下敷き１２１と、が設けられる。第２下敷き１２１、１２１により、利用者の乳房の底側が支えられて、バストアップ効果を達成できる。しかし、ブラジャー１０の第１下敷き１１１は、ブラジャー１０の外縁１１と、中心１２に近接する箇所と、に設けられるため、利用者の乳房を均一にバストアップすることができず、ひいては利用者の乳房の外観が不自然となり、このようなブラジャー１０を長期間に着用すると、利用者の乳房が変形してしまう虞がある問題があった。
【考案の概要】
【考案が解決しようとする課題】
【０００４】
本考案の主な目的は、乳房を均一にバストアップすることができ、乳房の曲線を綺麗にすることができるバストアップ構造付きブラジャーを提供することにある。
【課題を解決するための手段】
【０００５】
本考案のバストアップ構造付きブラジャーによると、人体の乳房を覆い、人体の乳房に対向する内面を有し、その一側が互いに連接し、その連接する側の反対側が脇辺であり、底縁を有する二つのカップと、
前記各カップの前記内面の前記底縁にそれぞれ設けられ、その一側が前記二つのカップの連接箇所と連接し、その他側が前記脇辺と連接する二つのバストアップ構造と、
両端が前記二つのカップの連接する側の反対側とそれぞれ連接するベルトと、
を含むことを特徴とする。
【０００６】
本考案のバストアップ構造付きブラジャーによると、更に、二つのストラップを含み、前記ストラップは、一端が前記二つのカップの前記脇辺と連接し、他端が前記ベルトと連接することを特徴とする。
【０００７】
本考案のバストアップ構造付きブラジャーによると、前記二つのカップの一側は中心とそれぞれ連接することを特徴とする。
【０００８】
本考案のバストアップ構造付きブラジャーによると、前記各カップの前記底縁にスチールリングがそれぞれ設けられ、前記各スチールリングは、一端が前記二つのカップの連接箇所での前記中心と連接し、他端が前記脇辺と連接することを特徴とする。
【０００９】
本考案のバストアップ構造付きブラジャーによると、前記各脇辺は、前記スチールリングから前記カップの外部に延びることを特徴とする。
【００１０】
本考案のバストアップ構造付きブラジャーによると、前記バストアップ構造は、一側が第１側辺とされ、他側が第２側辺とされ、前記第１側辺と前記第２側辺の間には、底辺と天辺とが設けられ、前記底辺は、前記各カップの前記底縁に応じて成形され、前記各カップの前記底縁と連接し、前記スチールリングに隣接し、前記第１側辺が前記中心と連接し、前記第２側辺が前記脇辺と連接することを特徴とする。
【００１１】
本考案のバストアップ構造付きブラジャーによると、前記バストアップ構造は木綿で作製されたものであることを特徴とする。
【００１２】
本考案のバストアップ構造付きブラジャーによると、前記バストアップ構造の内部にシリコーン体が収容されていることを特徴とする。
【００１３】
本考案のバストアップ構造付きブラジャーによると、前記バストアップ構造は弾性体で作製されたものであることを特徴とする。
【考案の効果】
【００１４】
本考案のバストアップ構造付きブラジャーによれば、乳房を均一にバストアップすることができ、乳房の曲線を綺麗にすることができるという効果を有する。
【図面の簡単な説明】
【００１５】
【図１】従来のバストアップ効果を有するブラジャーを示す模式図である。
【図２】本考案の一実施例の組合済み状態を示す外観図である。
【図３】本考案の一実施例が人体に着用された状態を示す模式図である。
【図４】本考案のバストアップ構造が木綿で作製された場合の断面図である。
【図５】本考案のバストアップ構造内にシリコーン体が設けられた状態を示す断面図である。
【図６】本考案のバストアップ構造が弾性体で作製された場合の断面図である。
【考案を実施するための形態】
【００１６】
以下、本考案の実施の形態を図面に基づいて説明する。
まず、図２乃至図４を参照する。本考案の一実施例のバストアップ構造付きブラジャーは、二つのカップ２０と、二つのバストアップ構造３０と、ベルト４０と、二つのストラップ５０と、を含む。
【００１７】
二つのカップ２０は、人体Ｘの乳房Ｘ１を覆い、人体Ｘの乳房Ｘ１に対向する内面２１を有し、その一側が中心２２を介して互いに連接し、その連接する側の反対側が脇辺２４であり、底縁２３を有する。各カップ２０の底縁２３にスチールリング２３１がそれぞれ設けられる。各スチールリング２３１は、一端が二つのカップ２０の連接箇所での中心２２と連接し、他端が脇辺２４と連接する。各脇辺２４はスチールリング２３１からカップ２０の外部に延びる。
【００１８】
二つのバストアップ構造３０は、一側が第１側辺３１とされ、他側が第２側辺３２とされる。第１側辺３１と第２側辺３２の間には、底辺３３と天辺３４とが設けられる。底辺３３は、各カップ２０の底縁２３に応じて成形され、各カップ２０の内面の底縁２３と連接し、スチールリング２３１に隣接する。第１側辺３１は二つのカップ２０の連接箇所での中心２２と連接する。第２側辺３２は脇辺２４と連接する。本実施例のバストアップ構造３０は木綿で作製されたものである。
【００１９】
ベルト４０は、両端が二つのカップ２０の連接する側の反対側とそれぞれ連接する。
【００２０】
二つのストラップ５０は、一端が二つのカップ２０の脇辺２４と連接し、他端がベルト４０と連接する。
【００２１】
本考案のブラジャーが人体Ｘに着用されたと、各カップ２０が人体Ｘの乳房Ｘ１を覆い、カップ２０の底縁２３にあるバストアップ構造３０が人体Ｘの乳房Ｘ１の底部に対応する。これにより、バストアップ構造３０が乳房Ｘ１をバストアップすることができる。バストアップ構造３０は、各カップ２０の底縁２３に設けられ、中心２２から脇辺２４に延びるため、乳房Ｘ１全体の底部と完全に接触でき、乳房Ｘ１全体を均一にバストアップすることができる。これにより、バストアップの効果はより自然となる。もちろん、乳房の大きさ又は異なる需要によって、異なる厚さ又は長さにバストアップ構造３０を作製することができ、そうすると、バストアップの効果を最高にすることができる。
【００２２】
図５に示すように、バストアップ構造３０´の内部にシリコーン体３５が収容されている。シリコーン体３５の柔軟な触感により、本実施例のブラジャーを着用したと、バストアップされる乳房の真実感が増加する。
【００２３】
図６に示すように、バストアップ構造３０″は弾性布で作製されたものである。弾性布の弾性による収縮力により、本実施例のブラジャーを着用したと、バストアップされる乳房が括られるようになり、乳房の曲線がもっと綺麗となる。
【産業上の利用可能性】
【００２４】
本考案は、ブラジャーに適用することができる。
【符号の説明】
【００２５】
１０：ブラジャー
１１：外縁
１２：中心
２０：カップ
２１：内面
２２：中心
２３：底縁
２４：脇辺
３０：バストアップ構造
３０′：バストアップ構造
３０″：バストアップ構造
３１：第１側辺
３２：第２側辺
３３：底辺
３４：天辺
３５：シリコーン体
４０：ベルト
５０：ストラップ
１１１：第１下敷き
１２１：第２下敷き
２３１：スチールリング
Ｘ：人体
Ｘ１：乳房
【図１】
0003168252.tif 000003
【図２】
0003168252.tif 000004
【図３】
0003168252.tif 000005
【図４】
0003168252.tif 000006
【図５】
0003168252.tif 000007
【図６】
0003168252.tif 000008